(57)【要約】【課題】どの方向から入射した光でも再帰反射し、視認性を向上させること。【解決手段】再帰性反射具１は、環状の全体に亘って筒状に閉じられて外周面が再帰反射面１ａをなし、外装生地１１の中にクッション材２１を環状の全体に亘って充填した。これにより、外周面の全体が曲面状をなし、しかも、環状の全体に亘って屈曲自在に形成されているものである。【選択図】図１
2018146918.tif 000002
【特許請求の範囲】
【請求項１】
筒状に閉じられた外周面に少なくとも再帰反射面を形成し、かつ、屈曲自在な立体的環状を形成してなる外装生地と、
前記筒状に閉じられた前記外装生地中に充填されたクッション材と
を具備し、
前記外装生地中に充填された前記クッション材は、発泡樹脂材料または立体網状構造体または粒わたの合成樹脂材料または発泡ゴム材料の何れか１または２以上の材料からなり、前記外装生地の曲面をなす外周面が変形自在となっていることを特徴とする再帰性反射具。
【請求項２】
前記外装生地は、長手方向の端部に配設した連結具によって立体的環状を形成できることを特徴とする請求項１に記載の再帰性反射具。
【請求項３】
前記外装生地中に充填されたクッション材の前記クッション材中に、直列に接続したＬＥＤまたは有機ＥＬの光を透過させたことを特徴とする請求項１または請求項２に記載の再帰性反射具。
【請求項４】
前記外装生地に収容自在とした媒体は、所有者の個人情報を書き込み、それを透明袋に収容したものであることを特徴とする請求項１乃至請求項３の何れか１つに記載の再帰性反射具。
【請求項５】
前記外装生地には、蓄光材料を使用して再帰反射の視認性を補うことを特徴とする請求項１乃至請求項４の何れか１つに記載の再帰性反射具。
【請求項６】
前記外装生地には、その外面側または内面側に収容部を設けたことを特徴とする請求項１乃至請求項５の何れか１つに記載の再帰性反射具。
【発明の詳細な説明】
【技術分野】
【０００１】
本発明は、例えば、人体の一方の肩から他方腰側に斜めに掛けるタスキとして環状に形成され人体に装着される装着具で、再帰反射（入射した光の方向へ反射）によって夜間や暗所における装着者の存在を光源からの反射により視認性を高める再帰性反射具に関するもので、特に、交差点等の光源の入射方向による死角をなくした再帰性反射具に関するものである。
【背景技術】
【０００２】
従来、夜間や暗所での視認性を高めるために、再帰反射材を使用した反射タスキが知られており、かかる反射タスキを夜間に歩行者、道路作業者、交通整理者が身に付けることで、自動車等のヘッドライトの再帰反射により、ドライバーに歩行者等の存在を知らせその位置を認識させることができる。
【０００３】
しかし、従来の市販の反射タスキは、幅広の帯状シートが環状に形成され、平面状の幅広シート面のみに再帰反射材が配設されているから、かかる帯状の再帰反射タスキを人体の一方の肩から他方の腰側に向かって斜めに掛けて装着した人には、自動車、自転車等の光源から光を受ける再帰反射面が少なくなり、再帰反射が殆ど生じなくなる。即ち、平面状の再帰反射面の垂線に対する光の入射角が大きいと再帰反射量が低下する。このため、例えば、人が車道を横断する際や、自動車等が曲り角や下り坂に進入する際や、光源からの光の入射角によっては死角が生じ、視認性が悪いという問題があった。
【０００４】
そこで、特許文献１では、人体に装着するタスキ本体の一部に幅方向に湾曲面を有する立体部を有し、当該立体部の表面に反射面を設けた反射タスキが開示されている。
【先行技術文献】
【特許文献】
【０００５】
【特許文献１】特開２０１１−１６４４８１号公報
【発明の概要】
【発明が解決しようとする課題】
【０００６】
ところが、特許文献１に開示された反射タスキは、人体に装着されるタスキ本体の一部で幅方向に湾曲面を有する立体部を設けるもので、立体部の配置を環状の周方向の一部のみを反射面としている。特に、人体の前後に相当する位置に立体部を設けることが記載され、また、図の記載からしても、人体の肩に宛がう部分及び人体の脇腹・腰側部分に位置させる箇所では立体部の突出するボリュームが肩へのフィット性に欠けたり、手腕の動きを妨げたりするために環状の周方向の一部のみに立体部を設けたものと想定される。
このように、再帰反射は、光源に向かって反射される特性を有するものであるから、道路の歩行者の後方に光源があり、それを歩行者の真横から再帰反射光として受けることは不可能である。したがって、特許文献１に記載の技術においては、実用性に欠けていた。
しかし、夜間に散歩を行う健常者と、病気または認知症の初期で夜間に家を出たものの帰りが突然わからなくなった記憶障害者、何らかの事故にあった者の区別は、夜間では明確には区別が付け難い。また、交差点等で、歩行者の側面から車両が進行しているときに、歩行者の存在を早く発見することも必要である。
【０００７】
そこで、本発明はこれらの問題点を解消すべく、交差点等で歩行者の側面から接近する車両の運転者が歩行者の存在をいち早く発見でき、交通事故にあう確率を少なくできる再帰反射面の視認性を向上させると共に、他の機能性を持たせることができる再帰性反射具の提供を課題とするものである。
【課題を解決するための手段】
【０００８】
請求項１の発明の再帰性反射具は、全体が環状をなして人体に装着されるものであり、前記環状の全周が筒状に閉じられて、外周面が再帰反射面をなす外装生地の内側にクッション材を充填し、前記環状の前記外周面の全体が曲面状をなし、しかも、前記環状の全体が屈曲自在に形成されているものである。
この外周面が再帰反射面をなす外装生地は、内側にクッション材を充填し、立体裁断するのが望ましい。
【０００９】
ここで、上記全体が環状をなすとは、通常、人体の一方の肩から他方の脇下・腰側に向かう斜掛け（袈裟懸け）が可能な程度の長さ（例えば、環状内径が６０ｃｍ〜１００ｃｍ）で環状に形成されていれば、環状の長さ以外に多少の余剰を持たせてもよいし、長尺体の両端部を接続したり、結んだりすることによって環状をなしてもよい。
【００１０】
上記外装生地は、前記環状の全体が筒状に閉じられ、その外周面に少なくとも、再帰反射面を形成するものである。再帰反射面は前記環状に複数の線条とすることができるし、複数の円形、長円形とすることができる。なお、再帰反射面以外は、ＬＥＤまたは有機ＥＬの透過光としたり、蓄光材料を塗布した面とすることもできる。
また、上記環状の全体に筒状に閉じられとは、前記環状の全体に亘って前記環状の周方向に直交する方向の断面がループ状に閉じられ、前記環状の周方向に延びる袋状をなしてクッション材を収容可能になっていることを意味する。
そして、上記再帰反射面は、ガラスビーズ等の小球体、コーナーキューブ等のプリズムによって形成し、小球体、微細な立体プリズム構造の光屈折を利用して、入射光を照射方向に反射する特性を有するものである。
なお、前記外装生地を二重とし、蓄光材料入りの繊維の内袋表面に、再帰反射面を形成してもよい。
【００１１】
上記クッション材は、前記外装生地の中に充填されるものであり、例えば、木綿、ポリエステル製等の合成綿、羊毛綿、麻綿、毛等の綿状体、スポンジ、ウレタン等の発泡体、発泡ビーズ、ポリエチレンパイプ等が使用される。具体的には、クッション材は、ポリエステルファイバー等の短繊維からなる羽毛代替え素材としての粒わた、球状綿と呼ばれる綿（わた）、また、綿花の場合には、その断面が湾曲するような膨らみのある形状にして綿入れしたものでもよい。或いは、溶融する合成樹脂材料を連続線条体として押し出し、多数本が立体的に不規則に絡み合って、相互に溶着され、所定の空隙率の空隙を有して弾性を有する構造体でもよい。
クッション材の形状は、特に限定されず、円形の棒状、四角等の多角形状の角柱状等の長尺状に成形されたものであってもよいし、任意形状の綿状体、スポンジ、ウレタン等の発泡体、発泡ビーズ、ポリエチレンパイプ等を外装生地の中に詰めるようにしてもよいし、空気袋を入れてもよい。
【００１２】
殊に、クッション材としては、溶融する合成樹脂材料を連続線条体として押し出し、多数本が立体的に不規則に絡み合って、相互に溶着され、所定の空隙率の空隙を有して弾性を有する立体網状構造体材料としてもよい。この立体網状構造体材料については特開２００１−３２８１５３号公報及び特開２００６−９７２２３号公報で周知である。
また、粒わた材料とすることもできる。この粒わた材料は、特開平１−２０６２４号公報及び特開平２−５８９５３号公報、特開平３−７９４６５号公報、ＷＯ２０１６−１２１６４３号で周知である。
そして、上記外周面の全体が曲面状をなしとは、筒状に閉じられた外装生地の中にクッション材を充填していることによって、再帰反射面をなす外装生地の外周面が、環状の周方向に対して直交方向の周囲が任意の曲率を持ち、曲面で囲まれていることを意味する。
また、上記屈曲自在に形成は、外力が加わったときでも所定形状に維持されずに屈曲変形可能に柔軟性を有することを意味する。
外周面が再帰反射面をなす外装生地は、縦方向または横方向に再帰反射面を形成し、そこに透明孔を形成することにより、内部からのＬＥＤ光、有機ＥＬ光、蓄光光等を導き出すことができる。
【００１３】
更に、前記筒状に閉じた前記外装生地中に充填したクッション材の前記クッション材中には、環状に接続したＬＥＤまたは有機ＥＬの光を透過させる配設としたものである。
特に、発泡樹脂材料または立体網状構造体材料または粒わたの合成樹脂材料または発泡ゴム材料の何れか１つの材料からなるクッション材は、発泡スチロール樹脂、発泡ウレタン樹脂または立体網状構造体または粒わたの合成樹脂材料または発泡ゴムの何れか１つからなり、前記外装生地の外周面が変形自在に余裕をもって充填されてなるものである。
更にまた、前記外装生地の外周面が変形自在に余裕をもって充填されとは、弾性によってスペースが生じるものであればよい。また、必要以上の充填は、立体的環状が円環となることからも確認される。
【００１４】
請求項２の発明の再帰性反射具の前記外装生地は、長手方向の端部に配設した連結具によって全体が環状に連結自在で、全体が環状をなして人体に装着されるものである。前記長手方向の全体が筒状に閉じられて外周面が再帰反射面をなす外装生地の中にクッション材を前記長手方向の全体に充填したことによって、前記長手方向の全体に前記外周面の全体が曲面状をなし、しかも、前記長手方向の全体に屈曲自在に形成されているものである。
ここで、長手方向の端部に配設した連結具は、電気的接続のみの意味ではなく、機械的接続でも、外力を加える接続手段でもよい。
【００１５】
請求項３の発明の再帰性反射具の前記筒状に閉じた前記外装生地中に充填したクッション材は、光を透過させる材料とし、ＬＥＤまたは有機ＥＬを環状に接続した前記立体的環状を配設したものである。また、再帰反射とＬＥＤまたは有機ＥＬによる発光は、再帰反射材料のない前記外装生地からＬＥＤまたは有機ＥＬの光を取出すことができる。
ここで、光を透過させるクッション材料は、環状の内部に入れたＬＥＤまたは有機ＥＬを発光させ、それを外部に出力するものであるから、再帰反射の能力を超えてＬＥＤまたは有機ＥＬの能力により、人の存在を明確にできる。
【００１６】
請求項４の発明の再帰性反射具の前記外装生地には、所有者の連絡先(住所)、氏名等の個人情報の一部を書き込んだ媒体の読み取りから、再帰性反射具の所有者等の連絡先を得るものである。
ここで、所有者の個人情報とは、所有者本人の氏名、住所及び連絡先、病歴、緊急連絡先の１以上の情報を意味する。また、媒体とは、活字で印字した紙または合成樹脂フィルムのカード、格納された電子情報のメモリ等とすることができる。
特に、透明袋の中に、所有者本人の氏名、住所のみを外から見える状態に格納し、連絡先、病歴、緊急連絡先の１以上の情報を外から見えないように格納し、問題があるときのみ再帰性反射具の外装生地を開放することが望ましい。
【００１７】
請求項５の発明の再帰性反射具の前記外装生地には、蓄光材料を使用し、再帰反射の視認性を良くしたものである。
ここで、再帰反射の反射光は光源に向かって反射するが、蓄光材料は光源からの光を蓄え、蓄光材料の存在を示すように全角度に光を放出するから、前記所定時間内であれば再帰性反射具が認識されやすい。
【００１８】
請求項６の発明の再帰性反射具の前記外装生地には、その外面側または内面側に収容部を設けたものである。
ここで、前記外装生地の外面側または内面側に設けた収容部とは、使用者の個人情報、物品、財布(お金)、銀行カード、薬等を収容することができる。
【発明の効果】
【００１９】
請求項１の発明に係る再帰性反射具によれば、環状の全体に筒状に閉じられて外周面が再帰反射面をなす外装生地内にクッション材を充填したことによって、再帰反射面をなす外周面が曲面状をなしていることから、光源が何れにあっても高い再帰性反射が得られる。即ち、再帰性反射具を人体の一方の肩から他方の脇下・腰側に向かって斜めに掛けて装着した人の側面側でも、当該光源から光を受けたとき、必ず高い再帰性反射が得られる。
【００２０】
しかも、環状の全体外周面が曲面状をなしていることから、どの方向に光源があっても再帰反射が発生する。つまり、環状の全体が曲面状をなした再帰反射面を存在するから、再帰性反射具を人体の一方の肩から他方の脇下、腰側に向かって斜めに掛けて装着した人の輪郭、体勢が視覚的に把握し易く、また、再帰反射面の縦長の延びにより、遠近感も分かり易い。よって、人体の動きや移動に対する視認性も向上できる。そして、環状の全体が曲面状をなした再帰反射面が環状の周方向に連続させれば、装着者の動きや移動によって再帰性反射具が環状の周方向に回動しても、光の入射方向を問わず常に高い再帰性反射が得られ、また、装着する際に方向性を特定しないから使い勝手もよい。
【００２１】
更に、環状の全体が屈曲自在に形成されているから、人体の動きや移動による部分的な再帰反射面の屈曲変化により反射光量を変化できる。環状の全体が曲面状をなした再帰反射面が環状の周方向及び／または長さ方向に間歇的に設けられていれば、ＬＥＤまたは有機ＥＬ等によって、人体の動きや移動に対する視認性も向上させることができる。
よって、本発明の再帰性反射具によれば、人の動きや移動に対する視認性を向上させることができる。
【００２２】
加えて、外装生地の中にクッション材が環状の全体に充填されて環状の全体に外周面の全体が曲面状をなし、しかも、環状の全体に屈曲自在に形成されていることで、装着者の肩に沿ってフィットさせてずれ難くでき、更に小物等の収納により重さが加えられた場合でも、環状の全体に充填されたクッション材により装着者の肩への当たりも良くて食い込みを防止して重みを分散させることができる。
【００２３】
こうして、本発明の再帰性反射具によれば、環状の全体が筒状となっており、どの方向から入射した光でも再帰性反射が高く、しかも、環状の全体でどの方向に対しても再帰反射が生じ、視認性を向上させることができる。
また、前記筒状に閉じた前記外装生地中に充填したクッション材は、発泡樹脂材料または立体網状構造体または粒わた等の合成樹脂材料または発泡ゴム材料の何れか１つの材料からなり、発泡スチロール樹脂、発泡ウレタン樹脂または立体網状構造体または粒わたの合成樹脂材料または発泡ゴムの何れか１つからなり、前記外装生地の外周面が変形自在に余裕をもって充填されてなるものである。即ち、弾性によって任意の充填量とすることができ、かつ、均等に弾性を持たせることができる。
更にまた、前記外装生地の外周面が変形自在に余裕をもって充填されとは、弾性によってスペースが生じるものであればよい。また、必要以上の充填は、立体的環状が円環となることからも確認される
そして、人体の動きや移動により外周面の曲面が部分的に変化し、反射光量を変化でき、人の動きや移動に対する視認性を向上させることができる。
加えて、前記外装生地を二重とし、蓄光材料入りの繊維の内袋表面に、再帰反射面を形成することもできる。
【００２４】
請求項２の発明にかかる再帰性反射具の前記外装生地は、長手方向の端部に配設した連結具によって立体的環状を形成するものであるから、請求項１に記載の効果に加えて、長手方向に筒状に閉じられて外周面が少なくとも再帰反射面をなす外装生地の中にクッション材を充填したことによって、再帰反射面をなす外周面の全体が曲面状をなしていることから、どの方向から光が入射しても高い再帰性反射が得られる。即ち、再帰性反射具を人体の一方の肩から他方の脇下・腰側に向かって斜めに掛けて装着した人の側面側でも、光を受けたときの再帰性反射が高く、また、人体の正面側で人体の長さの垂線方向に対して高入射角で入射した光でも高い再帰性反射が得られる。
このときの長手方向の端部に配設した連結具は、任意の機械的接続を得るものであるから、使用者は連結具を解除してもよいし、連結したままで、立体的環状に肩を通してもよいので、使用者の選択自由度が高い。
【００２５】
請求項３の発明にかかる再帰性反射具の前記筒状に閉じた前記外装生地中に充填したクッション材は、光を透過させる材料とし、環状に接続したＬＥＤまたは有機ＥＬを前記クッション材中に配設したものであるから、請求項１または請求項２の何れか１つに記載の効果に加えて、光を透過させるクッション材には、環状に接続したＬＥＤを配設することができるから、再帰反射のみでなく、ＬＥＤの発光またはＬＥＤの発光する紫外線を発光させることができる。
特に、本発明の再帰性反射具は、照明源として使用するものではなく、クッション材で散乱してもその存在が明確になればよいから、照明源として使用する環状に接続したＬＥＤまたは有機ＥＬの光出力を小さくすることができる。
【００２６】
請求項４の発明にかかる再帰性反射具の前記外装生地に収容自在とした媒体は、所有者の個人情報の一部を書き込んだものであるから、請求項１乃至請求項３の何れか１つに記載の効果に加えて、所有者の個人情報とは、氏名、住所、連絡先、病歴、緊急連絡先の１以上の情報を利用することにより、緊急に対応すべき事態が生じたとき、その内容に応じた対応が可能である。例えば、再帰反射を見ただけでも歩き方から徘徊老人の足であることは直ぐにわかるが、深夜に老人が散歩しているのは不自然であるから再帰性反射具の媒体に記載してある所有者の個人情報を確認することにより、徘徊老人が確認できる。
また、個人情報を二次元コード、ＱＲコード（登録商標)、郵便カスタマーコード等として格納し、必要に応じて前記外装生地を破損することなく、検出することができる。
【００２７】
請求項５の発明にかかる再帰性反射具の前記外装生地には、蓄光材料を使用して再帰反射の視認性を良くしたものであるから、請求項１乃至請求項４の何れか１つに記載の効果に加えて、所定の時間だけ蓄光材料によって光が出力されるので、日の入りから２〜３時間内であれば、蓄光材料によって歩行者の存在を確認できる。また、交差点を横切るときには、例え、信号停車時間があっても、後方または横方向からの光源で再帰反射または蓄光材料を光らせることができる。
特に、蓄光塗料としては、電磁波としての光(可視光、紫外線等）を蓄えて、光照射がなくなっても自己発光する物質である。
【００２８】
請求項６の発明の再帰性反射具の前記外装生地には、その外面側または内面側に収容部を設けたものであるから、請求項１乃至請求項５の何れか１つに記載の効果に加えて、前記外装生地の外面側または内面側に設けた収容部に、使用者の個人情報、物品、財布(お金)、銀行カード、薬、水等を収容することができる。
【図面の簡単な説明】
【００２９】
【図１】図１は本発明の実施の形態に係る再帰性反射具で、(ａ)は全体斜視図、(ｂ)は再帰反射の説明図である。
【図２】図２は本発明の実施の形態に係る再帰性反射具の横断面で示して説明する説明図で、（ａ）は外装生地に充填されているクッション材の一例を示す図、（ｂ）は外装生地に充填されているクッション材の別の事例を示す図である。
【図３】図３は本発明の実施の形態に係る再帰性反射具の構成を説明するための説明図である。
【図４】図４は本発明の実施の形態に係る再帰性反射具の装着状態を示す説明図であり、（ａ）は装着者の正面側から見た図、（ｂ）は装着者の側面側から見た図、（ｃ）は別の側面側から見た図である。
【図５】図５は本発明の実施の形態に係る再帰性反射具の変形例を示す説明図で、（ａ）は環状の長さを調節する連結具としてのホックの一例を示す図、（ｂ）は環状の長さを調節する例を示す図、（ｃ）は環状の長さを調節する別例を示す図、（ｄ）は環状の長さを調節する更に別例を示す図である。
【図６】図６は本発明の実施の形態の変形例に係る再帰性反射具の環状の長さを調節する連結具として別例を説明するための要部断面図であり、（ａ）は環状の長さを調節する連結具としてのボタンとループの組合せの例を説明する図、（ｂ）は環状の長さを調節する連結具としての孔と弾接凸部材の組合せの例を説明する図である。
【図７】図７は本発明の実施の形態の変形例に係る再帰性反射具の環状の長さを調節する例を説明するための説明図で、（ａ）は環状の長さを調節するためのアジャスタの例を説明する全体図、（ｂ）は環状の長さの調節を示す説明図である。
【図８】図８は本発明の実施の形態の変形例に係る再帰性反射具の環状の長さを調節する別例を説明するための説明図で、（ａ）は環状の長さを調節するためのリング状のバンドの例を説明する全体図、（ｂ）は環状の長さ調節の例を示す説明図、（ｃ）は環状の長さを折り畳んでまとめた状態を示す説明図である。
【図９】図９は本発明の実施の形態の変形例に係る再帰性反射具の環状の長さを調節する別例を説明するための説明図であり、（ａ）は環状の長さを調節するための留め紐を説明する全体図、（ｂ）は環状の長さ調節の例を示す説明図であり、（ｃ）は環状の長さ調節の別例を示す説明図、（ｄ）は環状の長さを折り畳んでまとめた状態を示す説明図である。
【図１０】図１０は本発明の実施の形態の変形例に係る再帰性反射具の環状の長さを調節する別例としてスライド部材を示す全体説明図である。
【図１１】図１１は本発明の実施の形態に係る再帰性反射具の変形例を示す説明図であり、（ａ）は変形例に係る再帰性反射具の全体斜視図、（ｂ）は変形例に係る再帰性反射具の横断面を示して説明する説明図である。
【図１２】図１２は本発明の実施の形態に係る再帰性反射具の変形例を示す説明図である。
【図１３】図１３は本発明の実施の形態に係る再帰性反射具の変形例を示す説明図であり、（ａ）は変形例に係る再帰性反射具の全体斜視図、（ｂ）は変形例に係る再帰性反射具の横断面を示して説明する説明図である。
【図１４】図１４は本発明の実施の形態に係る再帰性反射具の説明図であり、（ａ）は変形例の一例に係る再帰性反射具の全体斜視図、（ｂ）は変形例に係る再帰性反射具の全体斜視図である。
【図１５】図１５は本発明の実施の形態に係る再帰性反射具の電気回路図である。
【図１６】図１６は本発明の実施の形態に係る再帰性反射具で、（ａ）は接着布平面を剥がした斜視図、（ｂ）は接着布平面を接続した斜視図、（ｃ）は環状の接着布を剥がした斜視図、（ｄ）は接着布を環状に接続した斜視図である。
【図１７】図１７は本発明の実施の形態に係る再帰性反射具の説明図で、（ａ）は環状に連結する連結具としてのボタンの取付けを示す図、（ｂ）は環状に連結する連結具の要部斜視図である。
【図１８】図１８は本発明の実施の形態に係る再帰性反射具の説明図で、（ａ）は環状に連結する連結具としてのボタンとループの取付けを示す図、（ｂ）は環状に連結する連結具としてのボタンとループの取付けを示す要部斜視図、（ｃ）は環状に連結する連結具としてのボタンとループの他の取付けを示す要部斜視図である。
【図１９】図１９は本発明の実施の形態に係る再帰性反射具の説明図で、（ａ）は環状の連結を解放した連結具としての弾接凸部材とそれに対応する孔の位置を示す斜視図、（ｂ）は環状に連結する連結具としての弾接凸部材とそれに対応する孔の位置を示す説明図、（ｃ）は環状に連結する連結具としての弾接凸部材とそれに対応する孔の位置を示す説明図である。
【図２０】図２０は本発明の実施の形態に係る再帰性反射具の説明図であり、（ａ）は環状に連結する連結具としてのバックルを示す説明図、（ｂ）は環状に連結する連結具としての他のバックルを示す説明図である。
【図２１】図２１は本発明の実施の形態に係る再帰性反射具として、環状に連結する連結具としてのループ状の連結受部を示す説明図である。
【図２２】図２２は本発明の実施の形態に係る再帰性反射具の別例として、環状に連結する連結具としての連結環を示す説明図である。
【発明を実施するための形態】
【００３０】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３１】
［実施の形態］
まず、本発明の実施の形態に係る再帰性反射具１について、図１乃至図４を参照して説明する。
本実施の形態に係る再帰性反射具１は、外表面が再帰反射面１ａをなし筒状に閉じられた外装生地１１と、外装生地１１の中に充填されたクッション材２１とからなり、クッション材２１を収容した長尺状の外装生地１１の両端部を縫製（縫着線１３）によって接合することにより、全体が環状に形成されたものである。
なお、以下、環状の長さ方向とは、環状の周長(π×直径)に対する直角方向の長さ方向（縦長方向）を示す。
【００３２】
外装生地１１は、光を再帰反射させる再帰性反射の生地からなり、例えば、図３に示すように、矩形状の生地の再帰反射面１ａ側を外側にしてその長手方向に直角な方向の両端部を縫製によって接合（縫着線１２）することにより筒状に閉じられて、その外周面の全体が再帰反射面１ａを形成している。
図３においては、１枚の矩形状の生地を１本または複数本の縫着線１２にて縫製し筒状に閉じているが、本発明を実施する場合には、２枚以上の複数の生地を長手方向に直角な方向で縫製等によって接ぎ合わせて筒状に閉じてもよい。また、外装生地１１の基布は、防水加工、防水処理されている生地がよい。
【００３３】
通常、ガラスビーズによる再帰反射の基本構造は、基布（合成繊維またはフィルム）とする合成樹脂面に接着剤で透明な小さな形の球体を敷き詰め、その上面に剥離防止用の透明な合成樹脂がコーティングされている。
また、プリズムによる再帰反射の基本構造は、環境から保護を行うトップフィルム、再帰反射を行うプリズム層、密封構造を形成する合成樹脂層、加えて、最下部には基布等に接合する接着剤と剥離紙が構成されている。
このように、外装生地１１の再帰性反射は、前述したように、例えば、基布上に微細なガラスビーズを多数配列させたビーズタイプのものでもよいし、多面体（直角三角錐体等）を多数配列させたプリズムタイプのものでもよい。
【００３４】
このような再帰性反射を有する外装生地１１は、例えば、反射層上にガラスビーズやプリズムの多面体を設けてなる再帰反射材をポリエステル、綿等の布地の表面にハケ塗り、ローラー塗装、スプレー塗装の塗布手段や、接着剤、熱圧着等の接着手段、印刷手段によって定着させることで形成される。なお、再帰反射がビーズタイプのものは、表層にガラスビーズが露出する露出レンズ型（オープンタイプ）のものであってもよいし、ガラスビーズが透明樹脂でコーティングされた充填レンズ型のものであってもよいし、ガラスビーズが空気層を介在させて透明樹脂でコーティングされたカプセルレンズ型のものであってもよいが、高再帰反射性能、洗濯による耐久性等の観点から露出レンズ型、カプセルレンズ型が好ましい。また、再帰反射がプリズムタイプのものには、反射層にアルミフィルムシート等を用いた軟質タイプや、反射層に樹脂板等を用いた硬質タイプや、反射層が金属蒸着体の金属蒸着タイプがあるが、通常、布地への定着性から軟質タイプ、金属蒸着タイプのものが使用される。なお、再帰反射面１ａの色も特に限定されず、１色であってもよいし、２色以上の対比により注意喚起力、視線誘導を高めてもよい。
【００３５】
外装生地１１の中に充填されるクッション材２１としては、木綿、ポリエステル製等の合成綿、羊毛綿、麻綿、毛等の綿状体、スポンジ、ウレタン等の発泡体が使用される。
クッション材２１の形状は、筒状に閉じられた外装生地１１への収容によって外装生地１１の外周面の周囲全体を曲面状に形成できれば、円形状の棒状や、四角等の多角形状の角柱状等の長尺状に成形された綿状体、スポンジ、ウレタン等であってもよいし、任意形状の綿状体、スポンジ、ウレタン等を外装生地１１の中に詰めるようにしてもよい。
【００３６】
また、クッション材２１として立体網状構造体材料としてもよい。即ち、立体網状構造体材料とは、溶融する合成樹脂材料を連続線状体として押し出し、多数本が立体的に不規則に絡み合って、相互に溶着され、所定の空隙率の空隙を有して弾性を有する構造体である。なお、立体網状構造体については、特開２００１−３２８１５３号公報及び特開２００６−９７２２３号公報等で周知であるので、その説明を省略する。
そして、粒わた材料としてもよい。即ち、粒わた材料は、特開平１−２０６２４号公報及び特開平２−５８９５３号公報、特開平３−７９４６５号公報、ＷＯ２０１６−１２１６４３号等で周知のポリエステルの中空繊維球状体であるので、その説明を省略する。
【００３７】
そして、本実施の形態の再帰性反射具１は、図１(ｂ)に示すように、筒状に閉じられた外装生地１１の中にクッション材２１を充填したことよって、再帰反射面１ａをなす外装生地１１の外周面の周囲全体を曲面状に形成したものである。なお、再帰性反射具１の直径は、例えば、２０ｍｍ〜５０ｍｍに設定される。
このように再帰反射面１ａをなす外装生地１１の外周面の全体が曲面をなしていることで、つまり、図２に示すように、環状の周方向に直交する方向の断面において外周の全体に曲率を持たせていることで、外周のどの方向から光が入射しても高い再帰反射特性が得られる。
【００３８】
即ち、図１(ｂ)のように歩行者の背後に再帰反射面１ａの光源(自動車のヘッドライト)がある場合のガラスビーズ１１ａの説明図、また、歩行者の横側に再帰反射面１ａの光源(自動車のヘッドライト)がある場合のガラスビーズ１１ｂの説明図に示すように、光源側に反射する。
特に、本実施の形態では、筒状に閉じられた外装生地１１の中にクッション材２１が環状の全体に亘って充填され、環状の全体または環状の部分的に再帰反射面１ａをなす外装生地１１の外周面の全体が曲面状をなしている。したがって、環状の周方向全体でどの方向に光源が存在しても高い再帰性反射が得られる。
【００３９】
しかも、本実施の形態の再帰性反射具１では、筒状に閉じられた外装生地１１の中にクッション材２１を充填しても、環状全周に亘って屈曲自在に形成されている。即ち、クッション材２１が高充填で肉厚であったり、硬かったりすると、外力を加えても屈曲変形せず身体への当たりが悪くなるが、本実施の形態では、環状の全体に亘って屈曲自在な程度に、クッション材２１の充填量、嵩量、硬さ等を調節して柔軟性を確保し、身体への当たりを良くしている。そして、このように環状全周に亘って屈曲自在に形成されていると、再帰性反射具１を装着した装着者の動き、移動等により、外形が柔軟に変形して曲面状をなす再帰反射面１ａが変化する。よって、反射光量に変化を持たせることが可能であり、その変化によって装着者の動きを認識させることができる。また、このように再帰性反射具１が屈曲自在であり、装着者の動き、移動等により、外形が柔軟に変化すると、雨等で水滴が付着した際でも、水滴が落ちやすく高い再帰性反射を維持できる。更に、再帰性反射具１が屈曲自在に形成されていると、コンパクトに折り畳むことが可能であるから、鞄や衣服のポケットに入れて携帯するのにも便利である。
【００４０】
このような本実施の形態の再帰性反射具１は、例えば、筒状に閉じた長尺状の外装生地１１の中にクッション材２１を挿入し、或いは、クッション材２１の周囲を外装生地１１で被覆して包み込んで外装生地１１を筒状に閉じ、そして、クッション材２１が収容された長尺状の外装生地１１の両端部を縫製して環状に接合することによって製造される。特に、円形の棒状や、四角等の多角形状の角柱状等の長手方向に延びる長尺状に成形されたクッション材２１であれば、筒状に閉じた外装生地１１の中にクッション材２１を挿入するのみで、或いは、長尺状に成形されたクッション材２１を外装生地１１で包み込んでそれを筒状に閉じることで、クッション材２１を容易に詰め込みできる。
【００４１】
再帰反射面１ａの曲面に変化を持たせて、曲面の変化により効率良く光を光源に帰すことができるから、再帰性反射具１を装着した装着者の動き、移動等によっても、曲面の変化により反射光量に変化を持たることができるから、その変化によって装着者の動きを認識させることができる。更に、このように再帰反射面１ａをなす外周面が変形自在であると、雨等の水滴が付着した際でも、水滴が落ちやすく高い再帰性反射を維持できる。
【００４２】
更に、外装生地１１の中に入れるクッション材２１は、環状の周方向で厚みを変化させても良い。即ち、クッション材２１の肉厚を環状の周方向で一定とすることなく、変化させてもよい。例えば、環状の周方向の所定間隔で、クッション材２１の充填量が高い肉厚部と、クッション材２１の充填量が低い薄肉部とを設けることで、環状の周方向で形状変化が付けられるから、これによって、認識できる可能性を高めることが可能となる。
このときの厚みの変化は、環状の周方向に対して直交する方向の断面の周径の変化を意味し、環状の周方向に延び環状の周方向に厚みを変化させて長尺状に成形されたクッション材の使用により厚みに変化を付けてもよいし、環状の周方向に対して外装生地の中に詰めるクッション材の充填量の変化によって厚みに変化を持たせることもできる。
【００４３】
なお、本実施の形態においては、クッション材２１が充填された長尺状の外装生地１１の両端部を縫着線１３にて縫合わせていることによって一体に環状に接続されて環状をなしているが、本発明を実施する場合には、環状に一体に接続する手段は特に問われず、接着剤等による熱接着や連結材を介して接合してもよい。
勿論、外装生地１１が熱可塑性樹脂の場合には、超音波加熱、マイクロ波加熱により、接着することもできる。
【００４４】
本実施の形態の再帰性反射具１によれば、このように外装生地１１の中にクッション材２１を充填していることによって再帰反射面１ａをなす外周面の全周が曲面状をなし、即ち、環状の長さ方向に対し直交する方向の外周囲が曲面で囲まれており、立体的であるから、どの方向から光が入射しても高い再帰性反射が得られる。即ち、図４（ａ）に示すように、正面からに限らず、図４（ｂ）及び図４（ｃ）に示すように、再帰性反射具１を人体の一方の肩から他方の脇下・腰側に向かって斜めに掛けて装着した人の側面側でも、再帰反射面１ａが曲面状であるから、光を受けたときの再帰性反射が高く、また、人の正面側で人の長さの垂線方向に対して高入射角で入射した光でも高い再帰性反射が得られ、死角が生じない。
【００４５】
そして、このように再帰反射面１ａの外周面の周囲全体が曲面状をなすことで、より広角の受光に対応した再帰反射特性を持たせているから、より広角に再帰反射するため、輝度や再帰反射量が増し識別性が高くなる。即ち、再帰性反射具１の環状の長さに対して直角方向の幅が狭くても、十分な再帰反射量を得ることができる。このように再帰性反射具１の環状の長さに対して直角方向の幅を従来の反射タスキの反射材の幅よりも小さくしても高い視認性を獲得するから、再帰性反射素材の使用量を減らしコストを抑えることも可能である。例えば、再帰性反射具１の直径を２０ｍｍ〜５０ｍｍとしても、光の入射方向に特定されず高い再帰性反射が得られる。
【００４６】
特に、環状の全体に亘って外周面の全周が曲面状をなしていることから、環状の全体でどの方向に対しても再帰性反射が均一で方向性がない。つまり、環状の全体に亘って曲面状をなした再帰反射面１ａが連続するから、再帰性反射具１を人体の一方の肩から他方の脇下・腰側に向かって斜めに掛けて装着した人の輪郭、体勢が視覚的に把握し易い。また、再帰反射面１ａの縦長の延びにより、即ち、縦長に長いことにより、遠近感を強調できるから、自動車等のドライバーにとって距離感をつかみ易い。よって、目測による位置確認、距離感の把握をより容易なものとし、人の動きや移動に対する視認性も向上できる。そして、環状の全体に亘って曲面状をなした再帰反射面１ａが環状の周方向に連続していることで、装着者の動きや移動によって再帰性反射具１が環状の周方向へ回動しても、光の入射方向を問わず常に高い再帰性反射が得られ、また、装着する際に方向性を特定しないから使い勝手もよい。更に、方向性がないことから、捻じれて反転しても高い再帰性反射が得られる。
【００４７】
そして、外周面が再帰反射面１ａをなす外装生地１１の中にクッション材２１を環状の全体に亘って充填しても、環状の全周に亘って屈曲自在に形成されているから、人体の動きや移動により部分的な再帰反射面１ａの屈曲変化により反射光量を変化できる。よって、その変化によっても人の動きや移動に対する視認性を向上させることができる。
したがって、装着者に対して、その周囲のどの方角から自動車のヘッドライト等の光源から光を受けても高い再帰性反射が得られ、例えば、人が自動車等を横断する際や、自動車等が曲り角や下り坂に進入する際や、自動車のヘッドライトが下向きで走行している際等の装着者に対して側面側から光が当たったときでも、また、装着者の正面側で高入射角で光が当ったときでも、高い再帰性反射により装着者の存在を明示できる。
【００４８】
更に、外装生地１１の中にクッション材２１が環状の全体に充填されて、環状の全体に亘って外周面の全周が曲面状をなし、かつ、環状の全周に亘って屈曲自在に形成されていることで、装着者の肩に沿ってフィットさせてずれ難くできる。更にまた、小物等の収納により重さが加えられた場合でも、環状の全体に亘って充填されたクッション材により装着者の肩への当たりも良くて食い込みを防止して重みを分散させることができる。そして、装着者の動きに対して違和感を与えることもなく、装着者の動きを拘束する恐れもない。
加えて、環状の全体に亘って外装生地１１の中にクッション材２１が充填されるものであり、クッション材２１を部分的に挿入するものでもないから、その製造も容易である。
【００４９】
こうして、本実施の形態の再帰性反射具１によれば、光源が何れの方向に移動しても、何れの方向から入射した光でも再帰性反射が高く、しかも、環状の全体でどの方向に対しても再帰性反射が均一で方向性がなく、視認性を向上させることができる。
【００５０】
次に、本実施の形態の変形例について説明する。
本実施の形態の変形例に係る再帰性反射具１は、装着者の体格（サイズ）、身長、好み等に応じて環状の長さを調節自在に形成したものである。
変形例として図５に示す再帰性反射具１は、係合及び分離自在な雄部と雌部からなる連結具として凹状のスナップボタン３１ａ及び凸状のスナップボタン３１ｂの組み合わせからなるスナップボタン３１を外装生地１１の外面側に取付けたものである。
【００５１】
図５（ａ）に示すように、環状の周方向に所定距離離して外装生地１１の外面側にスナップボタン３１の凹状のスナップボタン３１ａと凸状のスナップボタン３１ｂを取付けることで、図５（ｂ）乃至図５（ｄ）に示すように、スナップボタン３１ａとスナップボタン３１ｂの係合によって環状に接続する長さが短縮されるから、人体の一部が通される環状部の径を調節して使用者の体格、身長等に合わせ、例えば、人体の一方の肩から他方の脇下・腰側に向かって斜めに掛けて装着したときの肩からのずれ落ちを防止できる。
【００５２】
このとき、再帰性反射具１が環状の全体で屈曲自在に柔軟に形成されているから、図５（ｂ）に示すように、環状の周方向の長さを半分に折ったときに互いに対向する対向辺が並列的に接合するように凹状のスナップボタン３１ａと凸状のスナップボタン３１ｂを取付けてもよいし、図５（ｃ）に示すように、対向辺がクロス状に接合するように、スナップボタン３１ａとスナップボタン３１ｂを取付けてもよいし、更には、図５（ｄ）に示すように、環状の長さ方向でその一部を折り畳んで重ね合わせて状のスナップボタン３１ａとスナップボタン３１ｂの係合により接合する形態により、環状の長さを調節してもよい。つまり、凹状のスナップボタン３１ａと凸状のスナップボタン３１ｂの取付位置による環状の径を短縮させる設計自由度が高い。
そして、凹状のスナップボタン３１ａや凸状のスナップボタン３１ｂを複数個設けた場合には、段階的な長さ調節が可能となる。
【００５３】
ここで、本発明を実施する場合には、スナップボタン３１ａ及びスナップボタン３１ｂの組み合わせのスナップボタン３１としては、バネホック、アメリカンホック、ジャンパホック等のドット釦やスナップ釦があるが、その他、スプリングホック、カギホックのような鉤構成体と受構成体の組み合わせのホックを使用してもよい。更に、環状の長さを調節自在とするために再帰性反射具１に設ける係合及び分離自在な雄部と雌部からなる連結具(結合手段)としては、スナップボタン３１の他にも、例えば、図６（ａ）に示すように、ボタン３２ａとループ３２ｂの組み合わせや、図６（ｂ）に示すように、外装生地１１に設けた孔３３ａとその孔３３ａに嵌合させるゴム製等の弾接凸部材３３ｂの組み合わせや、マジックテープ(登録商標)等の接着布が使用できる。
【００５４】
また、環状の長さを調節自在に構成する別の変形例として、図７に示す再帰性反射具１は、連結具を用いないもので、複数(２個)の孔４１ａを有するアジャスタ４１を取付けたものである。アジャスタ４１の取付けは縫製等によって取付けてもよいし、図７に示すようにアジャスタ４１の孔４１ａに通すことによってアジャスタ４１を取付けてもよい。その他にも、例えば、クリップを設けたアジャスタ４１のクリップで挟持する等、アジャスタ４１を再帰性反射具１に対して着脱自在に取付ける構成としてもよい。
【００５５】
再帰性反射具１の環状の全体が屈曲自在に柔軟に形成されているから、このようにアジャスタ４１を取付け、図７（ｂ）に示すように、環状の一部をその周方向に折り畳んでアジャスタ４１の複数の孔４１ａに通して拘束することによっても、環状の長さを調節して、装着者の体格、身長等に合わせることができる。特に、アジャスタ４１によれば拘束位置を無段階で調節できる。
【００５６】
更に、アジャスタ４１は図７に示したような複数の孔４１ａを形成した１つの部材からなるものに限定されず、複数のリングで構成してもよい。再帰性反射具１の環状の一部を周方向に折り畳んで、複数のリングに通して拘束することによっても、拘束位置を無段階で調節でき、装着者の体格、身長等に合わせることができる。なお、リングの取付けは、リングの環に通すことによって再帰性反射具１に取付けてもよいし、外装生地１１の外面側に縫製等によって取付けてもよい。
【００５７】
また、図８(ａ)に示すように、ゴム等の弾性材や伸縮性素材からなるリング状のバンド４２を取付け、バンド４２によって所定の長さで束ねて環状の長さを調節自在としてもよい。例えば、１つのバンド４２の環に通すことによってバンド４２を取付けた再帰性反射具１では、図８（ｂ）に示すように、環状の周方向の長さを半分に折ったときに互いに対向する対向辺同士をバンド４２の環に通して束ねることで環状に接続する長を短縮して、使用者の体格、身長等に合わせ調節することが可能である。これによっても、拘束位置は無段階で調節できる。なお、図８（ｂ）では、再帰性反射具１の環状の周方向の長さを半分に折ったときに対向する辺の一方に通されたバンド４２について、その環状を８の字状に交差させて形成したもう一方の環に対向する両辺をまとめて通すことにより束ねている。
【００５８】
特に、上述のリングやバンド４２がゴム等の弾性材や伸縮性素材で形成されていると、図８（ｃ）に示すように再帰性反射具１をその環状の長さ方向に複数段折り畳んで、或いは、巻き込んでバンド４２の環に通すことにより、嵩張らずにコンパクトに束ねてまとめることも可能となる。
【００５９】
その他、例えば、図９（ａ）に示すように、再帰性反射具１に１対の留め紐４３を取付け、図９（ｂ）に示すように、再帰性反射具１の環状の長さ方向で一部を折り畳んで重ね合わせて、留め紐４３を締結することにより拘束して、環状に接続する長さを短縮させてもよい。これによっても、拘束位置は無段階で調節できる。また、環状の長さ方向に１対の留め紐４３を複数設けることにより、折り畳んで重ね合わせたところを１対の留め紐４３同士間で拘束してもよい。
【００６０】
更に、図９（ｃ）に示すように、環状の長さ方向に半分に折ったときに互いに対向する辺同士を重ね合わせて束ね、そこを環状の周方向に直交する方向で１対の留め紐４３を結んで縛ることによっても環状の径を短縮させて、使用者の体格、身長等に合わせることができる。なお、環状の長さ方向に半分に折ったときに互いに対向する辺をクロスさせた状態で、留め紐４３で固定してまとめることも可能である。即ち、再帰性反射具１の環状の全体が屈曲自在に柔軟に形成されているから、環状の径を調節する設計自由度が高い。
そして、１対の留め紐４３によっても、図９（ｄ）に示すように、再帰性反射具１を環状の長さ方向に複数段折り畳んで、或いは巻き込み、それらを束ねて１対の留め紐４３で結んで縛ることで嵩張らずにコンパクトにまとめることができる。
【００６１】
更に、変形例として、図１０に示す再帰性反射具１は、環状の長さ方向にスライド自在に形成された１対の筒状またはリング状のスライド部材４４を取付けたものである。スライド部材４４は、例えば、金属、プラスチック、ゴム等からなり筒状またはリング状をなして外装生地１１の外周面に沿ってスライド自在に形成されたものであり、筒内またはリング内に、再帰性反射具１の環状の長さ方向に半分に折ったときに対向する両辺を通すことによって取付けられており、対向する両辺を束ねている。かかるスライド部材４４を環状の長さ方向に移動させることによっても、環状の径を無段階で調節できる。よって、使用者の体格、身長等に合わせることができる。
なお、スライド部材４４は再帰性反射具１に対して着脱自在に設けてもよいし、ストッパ等によりスライド部材４４が外れないように構成してもよい。
【００６２】
このように変形例の再帰性反射具１によれば、環状の長さを調節自在に形成していることで使用者の体格、身長等に合わせて環状の径が調節できるからそれ１つで子供から大人まで使用でき、例えば、人体の一方の肩から他方の脇下・腰側に向かって斜めに掛けて装着したときでも肩からのずれ落ちを防止できる。
【００６３】
次に、本実施の形態の他の変形例について説明する。
本実施の形態の変形例に係る再帰性反射具１は、環状の周方向に伸縮自在に形成されたものである。
変形例として図１１に示す再帰性反射具１は、外装生地１１の中に所定の弾性力を有して伸縮自在な弾性材５１を挿入することによって、環状の全体を伸縮自在に形成したものである。弾性材５１としては、例えば、織ゴム、編ゴム、コールゴム、ゴムテープの平ゴム、丸ゴム、ゴム紐、ストレッチテープ（ゴム入り布）、パワーネット、サテンネット、ストレッチサテン、ストレッチレース等の伸縮性を有する生地等の様々な弾性を有する素材を用いることができる。
【００６４】
例えば、図１１（ａ）に示すように、クッション材２１が収容されて筒状に閉じられた長尺状の外装生地１１の中に、長尺状の弾性材５１を挿通し、長尺状の弾性材５１の両端を接合してから、長尺状の外装生地１１の両端を接合することによって、再帰性反射具１は環状の周方向に皴が入り、伸縮自在とされる。弾性材５１は、図１１（ｂ）に示すように、外装生地１１とクッション材２１の間で挿通させてもよいし、クッション材２１内を貫通させてもよい。このとき、長尺状の弾性材５１の両端の接合によって形成される環状の周方向の長さが、外装生地１１の本来の長さよりも短いことで、伸長していない通常の状態では図１１（ａ）に示すように外装生地１１にギャザーが形成される。このため、外装生地１１の外周面の再帰反射面１ａに広角性を持たせることができる。更に、再帰性反射具１を装着した装着者の動き、移動等によって環状の周方向に伸縮することで再帰反射面１ａの曲面が変化するため、反射光量に変化を持たることが可能であり、その変化によって装着者の動きの認知性を高めることもできる。
【００６５】
なお、弾性材５１と外装生地１１を一体に形成してもよい。即ち、外装生地１１を筒状に形成する前に、長尺状の外装生地１１の長さに対して、弾性材５１を伸ばした状態で縫付けて、或いは、長尺状の外装生地１１を寄せて収縮した状態で弾性材５１を縫付けてもよい。それから、外装生地１１を筒状に閉じて外装生地１１の中にクッション材２１を挿入し、或いは、クッション材２１を外装生地１１で包み込んで外装生地１１を筒状に閉じ、長尺状の両端部を環状に形成することでも再帰性反射具１をその環状の周方向に伸縮自在とすることができる。その他、外装生地１１自体に伸縮性を有する生地を使用することでも環状の周方向に伸縮自在とすることが可能である。
【００６６】
そして、このように環状の周方向に伸縮自在に形成された再帰性反射具１では、装着者の体格に合わせて環状の周方向に伸長することから、装着者の体格にフィットさせることができ、ジョギングや歩行等の動きでも、再帰性反射具１の揺動が少なくて違和感が少ないものとなる。また、人体の一方の肩から他方の脇下・腰側に向かって斜めに掛けて装着したときの肩からのずれ落ちを防止できる。
【００６７】
次に、本実施の形態の他の変形例について説明する。
本実施の形態の再帰性反射具１は、外装生地１１の外面側または内面側に収容部６１を設けたものである。
図１２に示す再帰性反射具１は、環状の周方向の一部において、開口を有する袋状の収容部６１が外装生地１１の外面側で縫製等によって取付けられ、例えば、携帯電話、鍵、財布(お金)、アクセサリ、お菓子、防犯ブザー、小型ＧＰＳ(Global Positioning System)機器等の小物を収容部６１の開口から入れてその中に収容可能としている。これにより、例えば、夜間の歩行やジョギング等を行う際に衣服にポケット等がない場合でも、それら小物の携帯を可能とする。また、外装生地１１の外周側または内面側に収容部６１を設けると、雨水等が入り難くなる。ファスナ等も金属または樹脂ファスナとすることも、ストライプテープファスナ等の使用が可能であり、雨水の侵入を阻止するように二重に取付けてもよい。勿論、雨水の侵入がないように、透明の合成樹脂袋に住所、氏名、連絡先カードを封入し、密封してもよい。
【００６８】
特に、図１２に示すように、袋状の収容部６１の開口をファスナ、ホック、ボタン、接着布等の開閉具６１ａによって開閉自在に形成することで、装着者の動きによって再帰性反射具１が揺動したり環状の周方向に回動したりしたときでも、収容部６１に収納した小物等の中身が落下することのないようにできる。
収容部６１を構成する袋布６１ｂは、外装生地１１と同一の生地を使用して、その外面側を再帰反射面１ａに形成してもよいし、再帰反射素材でなくナイロン、ポリエステル等の一般的な生地を用いてもよい。また、ファスナ等の開閉具６１ａに再帰性反射素材を使用することも可能である。
【００６９】
また、収容部６１の袋布６１ｂをビニル製等の透明なもので形成してもよい。収容部６１の袋布６１ｂが透明であれば、持ち主の名前、所属等を記載した用紙等の名札を収容部６１に入れることで、持ち主の識別を容易とすることもできる。そして、収容部６１に収容した小物等中身の選択的に取り出すときの識別も容易である。
個人情報は電子信号とし、メモリに格納した媒体の持ち主の名前、住所等を記載し、必要に応じてパソコンでメモリに格納した情報の読出しができるのが望ましい。特に、警察、消防によって内容が読めるのが望ましい。
この収容部６１は、複数個のファスナ等の２個以上の開閉具６１ａ,６２ａによって、２個以上の収納部分を設けてもよい。
【００７０】
更に、図１２に示すように、収容部６１の中に別途、収容部６１よりも大きな収容容積を有する袋状の収納袋６２を設け、再帰性反射具１の環状の長さを折り畳みまたは巻いてまとめて収納袋６２の開口から中に入れてその中に収容するようにしてもよい。再帰性反射具１をコンパクトに収納袋６２に収納できることで、嵩張らずに保管や携帯ができる。かかる収納袋６２は、その一部が収容部６１の袋内に縫製等によって取付けられ、収容部６１内に収められる際には、折り畳んだり、巻き込んだりして収容され、使用時には収容部６１から引き出して展開され、環状の長さを折り畳みまたは巻いてまとめた再帰性反射具１をコンパクトにまとめて格納する収納として機能する。収納袋６２においてもその開口をファスナ、ホック、ボタンとループ、接着布等の開閉具６２ａによって開閉自在に形成することも可能である。
【００７１】
また、このように収容部６１内により大きな収容容積を有する袋状の収納袋６２を設けていると、収容部６１内から収納袋６２を引き出して拡げることで、上述した小物よりも大きな持ち物、例えば、携帯電話、携帯型音楽機器、時計等を収納袋６２に収容して携帯することも可能である。個人情報を書き込んだカードまたは記憶媒体等の媒体を格納することもできる。
【００７２】
なお、図１２においては、収容部６１の袋布６１ａが外装生地１１の外面側（表面側）に配設した構造であるが、外装生地１１の内面側（裏面側）に配設して、外装生地１１の外周面（意匠面）に袋布６１ａが露出しない構造としてもよい。
更に、図１３に示す再帰性反射具１は、外装生地１１とクッション材２１の外面を覆う表面生地６３を設けたものであり、クッション材２１の外側が外装生地１１で被覆され、更に、その外側が表面生地６３で被覆された２重の被覆構造とすることで、外装生地１１の内面側にクッション材２１を配設し、表面生地６３との間で収容部６１を覆うものである。
【００７３】
例えば、外装生地１１に収容されるクッション材２１の環状の全体を表面生地６３で被覆し、また、筒状に閉じる外装生地１１の環状の周方向の一部でファスナ等の開閉具６４を取付けて、環状の周方向の一部で開閉具６４によって外装生地１１を開閉自在とする。即ち、開閉具６４の取付けによって外装生地１１の一部を分離自在な構成としている。
これにより、開閉具６４によって外装生地１１を開いた開口から小銭、小物等の持ち物を入れて外装生地１１と表面生地６３との間で収容可能とする。
【００７４】
なお、ファスナ等の開閉具６４が取付けられた区間の周辺で外装生地１１と表面生地６３を部分的に、図１３(ａ)のように、破線で示す縫合線１３ａと縫合線１３ｂで縫製することによって収容区間を縫合線１３ａから縫合線１３ｂと限定できる。また、外装生地１１の環状の周方向の全長をファスナ等の開閉具６４の係合により閉じる構造としてもよく、再帰性反射具１の環状の周方向の全体で表面生地６３と外装生地１１による収容部６１を形成してもよい。かかる再帰性反射具１においても、外装生地１１の中に表面生地６３を介してクッション材２１が充填されているから環状の周方向に対して直交する方向の外周面の全体が曲面状をなす。したがって、外装生地１１によって曲面状とされた再帰反射面１ａを形成する。
【００７５】
こうして、外装生地１１の外面側または内面側に収容部６１を設けた変形例に係る再帰性反射具１によれば、装着者の衣服にポケット等がなくても、持ち物を身に付けて携帯することができる。
本実施の形態では、クッション材２１の中に予定の間隔で発光ダイオード（以下、単に『ＬＥＤ』という）を埋め込み、特定の色彩、例えば、赤色、橙色、青色、緑色、白色等を発光させ、その図示しない電池ホルダを収容部６１に収容し、外装生地１１を透明体とし、表面生地６３に所定の少なくとも再帰反射面１ａの表面と透明な個所を形成し、ＬＥＤの光と、再帰反射面１ａの光の和によって、人の存在を示すこともできる。
【００７６】
次に、本実施の形態の変形例について説明する。
本実施の形態の変形例に係る再帰性反射具１は、再帰反射面に対してＬＥＤ、有機ＥＬ等の光源７１を有するものである。
図１４に示す再帰性反射具１は、環状の周方向に沿って、ＬＥＤ等の光源７１を取付けたものである。ＬＥＤ等の光源７１を取付けることによって、自動車のヘッドライト等の外部の光源からの入射がなくても、電池ＢＡの能力で自発的に発光するから、視認性が高められる。即ち、自動車等のヘッドライトの照射範囲外でも再帰性反射具１の装着者を視認できる。また、ＬＥＤやＥＬファイバ等では、所定の色彩で発光できたり、点滅発光が可能であったり、高輝度であったりするから、再帰性反射素材の反射光とは異種の光特性のコントラストにより認識がより容易になり、視覚的な注意喚起力、視線誘導を高めることができる。また、更に、再帰反射素材とＬＥＤや有機ＥＬ等の光源７１との併用により、自動車等のドライバーは再帰性反射具１を装着した装着者との相対速度、距離間がよりつかみやすくなる。特に、再帰性反射具１の外周面が曲面状に形成されているから、外周面にＬＥＤや有機ＥＬ等の光源７１を設けることで、広角に光が放射され、光の拡がりが大きくなることから、装着者の側面側でも視認性の向上を図ることができる。更に、光源７１の周囲に鏡面反射材を用いることでより広角な放射が可能である。
【００７７】
ＬＥＤ等の光源７１は、図１４（ａ）に示すように、環状の周方向の全体に亘って所定間隔で設けてもよいし、図１４（ｂ）に示すように、環状の周方向の全体に沿って所定の感覚で設けてもよく、また、再帰性反射具１の芯として用いてもよい。ＬＥＤ等の光源７１を設ける場合には、それに電力を供給する電池ＢＡが設けられるが、化学電池の電力によって発光させてもよいし、装着者の身体の動き等による発電や太陽光によるソーラーセルＳ２による発電で発光させてもよい。
【００７８】
図１５は７１-1〜７１n等の光源７１の実施例である。７１-1〜７１nは直列接続してなる光源７１に相当する発光ダイオード(ＬＥＤ)で、特定の色彩に発光するものでもよいし、近紫外線発光により、蛍光塗料を発行させるものでもよいし、赤(Ｒ)，緑(Ｇ)，青(Ｂ)を変化させてもよい。
電池ＢＡは、一次電池または二次電池の使用が可能であり、本実施の形態では、常時、ソーラセルＳ2で充電され、振動センサＳ1からの出力によって５分間導通状態を維持し、各５分間内に検出信号があるときのみ、自己保持を継続する。
なお、ダイオードＤ1，Ｄ2は、ソーラセルＳ2からの電力が電池ＢＡに充電されるようにしたものである。また、この電気系は、収容部６１に収容するのが望ましい。
【００７９】
バッテリＢＡは二次電池を前提に説明したが、一次電池とすることができる。このときには、ダイオードＤ1，Ｄ2は、ソーラセルＳ2は不要となる。また、振動センサＳ1を省略し、スイッチに置き換え、使用する際に電源を入れるようにしてもよい。また、このときのスイッチも、再帰性反射具１の使用条件から、スイッチが入るようにマグネットスイッチ等を配設してもよい。後述する連結具にスイッチ機能を持たせてもよい。
【００８０】
次に、本発明の実施の形態に係る再帰性反射具１００について、図１６乃至図２２を参照して説明する。
本実施の形態に係る再帰性反射具１００は、外表面が再帰反射面１００ａをなし筒状に閉じられている長尺状の外装生地１１と、外装生地１１の長手方向の全体に亘って外装生地１１の中に充填されたクッション材２１と、クッション材２１が充填された長尺状の外装生地１１の一端部または両端部に設けられた連結具とを有し、連結具によって全体が環状に連結自在に形成されるものである。
【００８１】
本実施の形態では、連結具を設けて全体を環状に連結自在に形成するが、外装生地１１とクッション材２１の基本的構成は、前記実施の形態と同様であり、長手方向の全体に亘って筒状に閉じられ、その外周面が再帰反射面１００ａをなす外装生地１１の中にクッション材２１を長手方向の全体に亘って充填したことによって、長手方向の全体に亘って再帰反射面１００ａをなす外周面の全体が曲面状をなし、しかも、長手方向の全体に亘って屈曲自在に形成されている。
【００８２】
そして、実施の形態に係る再帰性反射具１００では、このように外装生地１１の長手方向の全体にクッション材２１が充填されてなる長尺体の長手方向の端部に連結具を設け、連結具によって全体を環状に連結自在に接続するものである。
具体的には、本実施の形態では、クッション材２１が収容された長尺状の外装生地１１の一端部または両端部に連結具が取付けられたり、ループが設けられたりする。
【００８３】
例えば、連結具としては、図１６に示すように、マジックテープ（登録商標）等の接着布１１１が使用される。
図１６に示した再帰性反射具１００は、クッション材２１が充填された長尺状の外装生地１１の各端部側に、係合及び分離自在な１対の雄部と雌部からなるマジックテープ（登録商標）等の接着布（面ファスナ）１１１を縫製または貼付け等によって取付け、マジックテープ（登録商標）等の接着布１１１の接合により、外装生地１１の両端部を接続して環状に連結自在に形成したものである。マジックテープ（登録商標）等の接着布１１１によれば、１対の雄部と雌部の係合及び分離操作は極めて簡単であり、接着布１１１が柔らかいので身体への当たりもよい。
【００８４】
マジックテープ（登録商標）等の接着布１１１は、例えば、図１６（ａ）に示すように、外装生地１１の一端部の外周面の一部に接着布１１１の雄部または雌部を取付け、外装生地１１の他端部の一部にもその外周面に接着布１１１の雌部または雄部を取付ける。このような取付けによって、接着布１１１の１対の雄部と雌部が係合されて再帰性反射具１００が環状に形成される際には、外装生地１１の各端部が並列的に対向して重なり合うため、１対の雄部と雌部を係合したときでも再帰反射面１００ａが環状の周方向に連続する。
【００８５】
また、例えば、図１６（ｃ）に示すように、先端までクッション材２１を収容した外装生地１１の一端部では外周面の全周囲に接着布１１１の雄部または雌部を取付け、一方で、外装生地１１の他端部では、クッション材２１が収容されない外装生地１１の余剰を設け、その余剰部１１２の外装生地１１の内周面の全周囲に接着布１１１の雌部または雄部を取付けてもよい。このような取付けでも、外周面の全周囲に接着布１１１が取付けられた外装生地１１の一端部が、内周面の全周囲に接着布１１１が取付けられた外装生地１１の他端部の余剰部１１２の中に挿入されて、筒状の周囲で接着布１１１の１対の雄部と雌部が係合して再帰性反射具１００が環状に形成されるから、接着布１１１の１対の雄部と雌部を係合したときでも再帰反射面１００ａが長手方向に連続し、しかも、厚みの重複が少なく強固な接合が得られる。
【００８６】
特に、マジックテープ（登録商標）等の接着布１１１を長手方向に長く設けたり、接着布１１１の雄部や雌部を複数設けたりすることにより、雄部と雌部の係合位置が選択可能となり、環状の径が調節自在となる。よって、使用者の体格、身長等に合わせることができ、例えば、人体の一方の肩から他方の脇下・腰側に向かって斜めに掛けて装着したときの肩からのずれ落ちるのを防止できる。
【００８７】
また、全体を環状に連結自在に接続する連結具としては、マジックテープ（登録商標）等の接着布１１１以外にも、例えば、図１７(ａ)に示すように、凸状のスナップボタン１２１ａと凹状のスナップボタン１２１ｂの組み合わせからなる連結具としてのスナップボタン１２１を使用してもよい。
図１７(ｂ)に示す再帰性反射具１００は、クッション材２１が収容された長尺状の外装生地１１の各端部側に、係合及び分離自在な凸状のスナップボタン１２１ａと凹状のスナップボタン１２１ｂからなる連結具としてのスナップボタン１２１を縫製または貼付け等によって取付け、凸状のスナップボタン１２１ａと凹状のスナップボタン１２１ｂの係合により、外装生地１１の両端部を接続して環状に連結自在に形成するものである。凸状のスナップボタン１２１ａと凹状のスナップボタン１２１ｂからなるスナップボタン１２１によっても、係合及び分離操作は極めて簡単であり、特に結合の信頼性が高い。
【００８８】
凸状のスナップボタン１２１ａと凹状のスナップボタン１２１ｂからなるスナップボタン１２１においても、図１７（ａ）に示すように、外装生地１１の一端部の外周面の一部にスナップボタン１２１ｂを取付け、外装生地１１の他端部にもその外周面の一部に凸状のスナップボタン１２１ａを取付ける。このような取付けによって、凸状のスナップボタン１２１ａと凹状のスナップボタン１２１ｂの係合により環状に連結された再帰性反射具１００では、外装生地１１の各端部が並列的に対向して重なり合うため、１対の凸状のスナップボタン１２１ａと凹状のスナップボタン１２１ｂを係合したときでも再帰反射面１００ａが環状の周方向に連続する。
【００８９】
また、図１７（ｂ）に示すように、先端までクッション材２１を収容した外装生地１１の一端部では外周面の周囲（長手方向に対して直交する方向の周囲）に複数の凹状のスナップボタン１２１ｂを取付け、一方で、外装生地１１の他端部では、クッション材２１が収容されない外装生地１１の余剰部１２２を形成し、その余剰部１２２の外装生地１１の内周面の周囲に複数の凸状のスナップボタン１２１ａを取付けてもよい。このような取付けにおいても、外周面の周囲に複数の凹状のスナップボタン１２１ｂが取付けられた外装生地１１の一端部が、内周面の周囲に複数の凸状のスナップボタン１２１ａが取付けられた外装生地１１の他端部の筒内に挿入されて、筒状の周囲で凸状のスナップボタン１２１ａと凹状のスナップボタン１２１ｂが係合して再帰性反射具１００が環状に連結されるから、１対の凸状のスナップボタン１２１ａと凹状のスナップボタン１２１ｂを係合したときでも再帰反射面１００ａが長手方向に連続する。しかも、厚みの重複が少なく強固な接合が得られる。
【００９０】
特に、凸状のスナップボタン１２１ａと凹状のスナップボタン１２１ｂを環状の周方向に複数設けると、凸状のスナップボタン１２１ａと凹状のスナップボタン１２１ｂの係合位置が選択できるから、環状の径が調節自在となる。
更に、全体を環状に連結自在に接続する連結具として、その他にも、図１８に示すように、ボタン１３１ａとループ１３１ｂの組み合わせを使用できる。
図１８に示す再帰性反射具１００は、クッション材２１が収容された長尺状の外装生地１１の一端部側にボタン１３１ａが取付けられ、他端部にボタン１３１ａに掛けるループ１３１ｂが取付けられ、ボタン１３１ａとループ１３１ｂの係合により、長尺状の外装生地１１の両端部を接続して環状に連結自在に形成するものである。ボタン１３１ａとループ１３１ｂによっても、その係合及び分離操作は極めて簡単である。
【００９１】
ボタン１３１ａとループ１３１ｂは、例えば、図１８（ａ）に示すように、外装生地１１の一端部の外周面の一部にボタン１３１ａとループ１３１ｂを取付け、外装生地１１の他端部にもその外周面の一部にボタン１３１ａとループ１３１ｂを取付ける。このような取付けによって、ボタン１３１ａとループ１３１ｂが係合されて再帰性反射具１００が環状に形成される際には、外装生地１１の各端部の外周面が並列的に対向して重なり合うため、ボタン１３１ａとループ１３１ｂを係合したときでも再帰反射面１００ａが長手方向に連続する。
【００９２】
また、図１８（ｂ）に示すように、外装生地１１の一端部の外周面の周囲に複数のボタン１３１ａを取付け、一方で、外装生地１１の他端部の外周面の周囲に複数のループ１３１ｂを取付けることで、複数のボタン１３１ａが取付けられた一端部の先端面と、複数のループ１３１ｂが取付けられた他端部の先端面が当接した状態で、ボタン１３１ａにループ１３１ｂが掛けられることで環状に連結させることもできる。このような取付けによっても、長尺状の外装生地１１の両端部の端面側が当接されることで、再帰反射面１００ａが長手方向に連続する。
【００９３】
更に、図１８（ｃ）に示すように、先端までクッション材２１が収容された外装生地１１の一端部の外周面の周囲に複数のボタン１３１ａを取付け、一方で、外装生地１１の他端部では、クッション材２１が収容されない外装生地１１の余剰部１３２を形成し、その余剰部１３２の外装生地１１の内周面の周囲に複数のループ１３１ｂを取付ける。このような取付けでも、外周面の周囲に複数のボタン１３１ａが取付けられた外装生地１１の一端部が、他端部側の内周囲にループ１３１ｂを取付けた外装生地１１の他端部に挿入されて、長手方向に対して直交する方向の周囲でボタン１３１ａにループ１３１ｂが掛けられて再帰性反射具１００が環状に連結されるから、ボタン１３１ａにループ１３１ｂを掛けて連結したときでも再帰反射面１００ａが長手方向に連続し、しかも、厚みの重複が少なく強固な接合が得られる。
【００９４】
特に、ボタン１３１ａやループ１３１ｂを長手方向で複数個設けることにより、ボタン１３１ａとループ１３１ｂの係合位置が選択可能となり、環状の径が調節自在となる。
また、図１９に示すように、クッション材２１が収容された長尺状の外装生地１１の一端部側に孔１４１ａを設け、他端部に孔１４１ａに嵌合するゴム製等の弾接凸部材１４１ｂを取付け、孔１４１ａへの弾接凸部材１４１ｂの弾接的な嵌合により、外装生地１１の両端部を接続して環状に連結自在に形成してもよい。孔１４１ａに弾接凸部材１４１ｂを嵌合して環状に連結する連結具においても、嵌合及び分離操作は極めて簡単であり、連結の信頼性も高い。
【００９５】
このとき、孔１４１ａは、例えば、図１９（ｂ）に示すように、クッション材２１を収容した外装生地１１の一端部の一部の面に設けてもよいし、図１９（ｃ）に示すように、外装生地１１の内部にクッション材２１を収容しない余剰部１４３を設け、その余剰部１４３の対向面を貫通させるように孔１４１ａを設けてもよい。
【００９６】
更に、全体を環状に連結自在に接続する連結具として、バックルを使用することができる。
例えば、図２０（ａ）に示すように、連結差込具１５１ａと連結受具１５１ｂからなる連結具としてのバックル１５１を用いて、クッション材２１を収容した長尺状の外装生地１１の一端部側にバックル１５１の連結差込具１５１ａを取付け、他端部にバックル１５１の連結受具１５１ｂが取付けられ、バックル１５１の連結差込具１５１ａと連結受具１５１ｂの係合により、外装生地１１の両端部を接続して環状に連結自在に形成してもよい。連結差込具１５１ａと連結受具１５１ｂからなるバックル１５１によれば、係合及び分離操作は極めて簡単であり、連結の信頼性も高い。図２０（ａ）に示すように、外装生地１１の各端部の先端に連結差込具１５１ａと連結受具１５１ｂを取付けて、外装生地１１の両端縁が離間して対向するように接続してもよいし、上述の図１７（ｂ）や図１８（ｃ）で示したように、外周面の長手方向に対して直交する方向の周囲で複数の小型のバックル１５１を付け、外装生地１１のどちらか一方の端部を挿入したり、当接して対向させる形態で連結することも可能である。
【００９７】
なお、連結差込具１５１ａと連結受具１５１ｂからなるバックル１５１は、回転式のバックル１５１を用いてもよい。回転式バックル１５１は、連結差込具１５１ａの球状の凸部と、連結受具１５１ｂの円形状の凹部とを嵌合することにより、連結差込具１５１ａに対して連結受具１５１ｂが回動自在に接合され、連結差込具１５１ａの側部の１対のプッシュボタンを押すことで接合が解除されるものである。このとき、連結差込具１５１ａの係合凸部が球状で、連結受具１５１ｂの係合凹部が円形状となっていることで、接合方向が特定されることなく、両者は何処の角度からでも接合することができる。このように連結差込具１５１ａと連結受具１５１ｂが回動自在に接合されているものでは、装着者の動きによって、接続角度が変化するから、反射光量に変化を持たることが可能であり、その変化によっても装着者の動きを認識させることが可能となる。更に、アジャスタ機能付きバックル１５１を用いると、環状の長さを調節できる。
【００９８】
連結差込具１５１ａと連結受具１５１ｂからなるバックル１５１の他にも、リング状のバックルや、アジャスタ仕様のバックルや、ピンバックル等を使用することも可能である。
例えば、リング状のバックルや、アジャスタ仕様のバックルでは、図２０（ｂ）に示すように、クッション材２１を収容した長尺状の外装生地１１の一端部側に複数のリングバックルや、アジャスタ仕様の連結具としてのバックル１６１が取付けられ、外装生地１１の他端部をバックルの穴に通して拘束することで、環状に連結自在とされる。このようなバックル１６１によれば拘束位置を無段階で調節して環状の径を調節できる。また、ピンバックルを用いる場合には、クッション材２１を収容した長尺状の外装生地１１の一端部側にピンバックルを取付け、外装生地１１の他端部にピンバックルの針状の留め具が通される穴を形成し、係る穴にピンバックルの針状の留め具を通して拘束することで、環状に連結自在とされる。
【００９９】
更に、全体を環状に連結自在に接続する連結具の別の形態として、クッション材２１を収容した長尺状の外装生地１１の両端部に磁石を取付け、磁石で吸引させることによって連結自在に構成することも可能である。
全体を環状に連結自在に接続する連結具を設けることなく、例えば、図２１に示すように、クッション材２１が収容された長尺状の外装生地１１の一端部をループ状に形成して連結受部１７１を設け、他端部をループ状の連結受部１７１に挿通することによって、環状に連結自在な連結具としてもよい。
【０１００】
ところで、上記説明では、クッション材２１が充填された外装生地１１からなる１本の長尺体で環状を形成する説明としたが、複数の長尺体の接続により、環状を形成してもよい。
そして、複数の長尺体の連結は、上述した連結具の他、例えば、図２２に示すように、各長尺体の両端部に孔１８１を形成し、係る孔１８１に丸カンやナスカン等の取付け及び取外し自在な構成の金属環１８２を通すことでも長尺体同士を連結できる連結具となる。このような複数の長尺体の連結により全体で環状を形成するものでは、長尺体の数の選択により環状の大きさを調節できる。これより、複数本繋げることで人体の一方の肩から他方の脇下・腰側に向かって斜めに掛けて装着するタスキ仕様の長さとする一方で、１本の長尺体を腕等に巻くリストバンド（アームバンド、腕章）として使用したり、更に、例えば、鞄を肩にかけるショルダベルトとしてや、カメラや携帯電話等の首や肩にから吊るすためのストラップ等として使用してもよい。また、自転車やベビーカー等の移動手段に装着させてもよいし、ペットの散歩時のリードやペットの身体に巻き付ける装着も可能である。
【０１０１】
更に、長尺体の少なくとも１つで、長手方向に沿って湾曲したスチールベルト等の図示しない金属板を外装生地１１の中に充填し、ワンタッチで自動的に腕や足等に巻き付くようにしてもよい。
このように、本実施の形態の再帰性反射具１００は、長手方向の端部に配設した連結具によって全体が環状に連結自在な再帰性反射具１００であって、長手方向の全体に亘って筒状に閉じられその外周面が再帰反射面１００ａをなす外装生地１１の中にクッション材１２を長手方向の全体に亘って充填したことによって、長手方向の全体に亘って外周面の全周が曲面状をなし、しかも、長手方向の全体に亘って屈曲自在に形成されているものである。
【０１０２】
ここで、連結具としては、クッション材２１が充填された外装生地１１からなる長尺体の長手方向の一端部または両端部に取付けた連結具、例えば、マジックテープ（登録商標）等の接着布１１１、スナップボタン１２１、ボタン１３１ａとループ１３１ｂ、弾接凸部材１４１ｂ、バックル１５１等の係合や、長尺体の長手方向の一端部に形成したループ状の連結受具１７１に長尺体の長手方向の他端部を通して拘束する手段がある。
【０１０３】
本実施の形態の再帰性反射具１００によれば、長手方向の端部に配設した連結具によって全体が環状に連結自在であり、長手方向の全体に亘って筒状に閉じられて外周面が再帰反射面１００ａをなす外装生地１１の中にクッション材２１を長手方向の全体に亘って充填したことによって、外周面の全周が曲面状をなしていることから、どの方向から光が入射しても高い再帰性反射が得られる。即ち、再帰性反射具１００を人体の一方の肩から他方の脇下・腰側に向かって斜めに掛けて装着した人の側面側でも、光を受けたときの再帰性反射が高く、また、人体の正面側で人体の長さの垂線方向に対して高入射角で入射した光でも高い再帰性反射が得られる。
【０１０４】
特に、長手方向の全体に亘って外周面の全周が曲面状をなしていることから、環状の全体でどの方向に対しても再帰性反射が均一で方向性がない。つまり、長手方向の全体に亘って曲面状をなした再帰反射面１００ａが連続するから、再帰性反射具１，１００を人体の一方の肩から他方の脇下・腰側に向かって斜めに掛けて装着した人の輪郭、体勢が視覚的に把握し易くまた、再帰反射面１００ａの縦長の延びにより、即ち、縦長に長いことにより、遠近感を強調できるから、自動車等のドライバーにとって距離感をつかみ易い。よって、目測による位置確認、距離感の把握をより容易なものとし、人の動きや移動に対する視認性も向上できる。そして、環状の全体に亘って曲面状をなした再帰反射面１００ａが環状の周方向に連続していることで、装着者の動きや移動によって再帰性反射具１，１００が環状の周方向へ回動しても、光の入射方向を問わず常に高い再帰性反射が得られ、また、装着する際に方向性を特定しないから使い勝手もよい。更に、方向性がないことから、捻じれて反転しても高い再帰性反射が得られる。
【０１０５】
そして、外周面が再帰反射面１００ａをなす外装生地１１の中にクッション材２１を長手方向の全長に亘って屈曲自在に形成されているから、人体の動きや移動により部分的な再帰反射面１００ａの屈曲変化により反射光量を変化できる。よって、その変化によっても人の動きや移動に対する視認性を向上させることができる。
【０１０６】
加えて、外装生地１１の中にクッション材２１が長手方向の全体に亘って充填されて、長手方向の全体に亘って外周面の全周が曲面状をなし、しかも、長手方向の全体に亘って屈曲自在に形成されていることで、装着者の肩に沿ってフィットさせてずれ難くできる。更にまた、小物等の収納により重さが加えられた場合でも、環状の全体に亘って充填されたクッション材により装着者の肩への当たりも良くて食い込みを防止して重みを分散させることができる。そして、装着者の動きに対して違和感を与えることもなく、装着者の動きを拘束する恐れもない。
加えて、外装生地１１の全体に亘ってその中にクッション材２１が充填されるものであり、クッション材２１を部分的に挿入するものでもないから、その製造も容易である。
【０１０７】
こうして、実施の形態に係る再帰性反射具１，１００においても、どの方向から入射した光でも再帰性反射が高く、しかも、環状の全体でどの方向に対しても再帰性反射が均一で方向性がなく、視認性を向上させることができる。
【０１０８】
なお、上記実施の形態の説明では、人体の一方の肩から他方の脇下・腰側に向かって斜めに掛けて装着する説明をしたが、例えば、環状を交差させて２つの環状を形成し、２つの環状に人体の両腕を通して人体の両肩に掛ける装着であってもよいし、即ち、背中側で斜めに交差させ両方の肩から脇に掛けるタスキとして使用してもよいし、胴体や腰に巻いてもよい。
また、道路に設置されている電柱等に再帰性反射具１，１００に巻き付ける装着により、自動車のドライバー等に電柱の位置を認識させることも可能である。従来、電柱に取付けられる電柱標識板は、再帰反射部分が電柱の周方向の一部であるため、電柱標識板に当たる角度によっては死角が生じるが、本発明の再帰性反射具１，１００によれば環状の全体に亘って外周面の周囲が曲面状をなすため、どの方向から光を受けても電柱の位置を認識させることができる。また、電柱の長手方向に沿って複数個の再帰性反射具１，１００を巻いてもよい。
【０１０９】
更に、上記実施の形態では、クッション材２１が収容された外装生地１１の長手方向の両端部を縫製によって接合することにより全体が一体に環状に形成されて全体が環状をなすものであり、上記実施の形態では、クッション材２１が充填された外装生地１１からなる長尺体の長手方向の一端部または両端部に連結具を設け、連結具によって全体が環状に連結自在とされているものであるが、本発明を実施する場合には、全体が環状に保持されて人体に装着できれば、再帰性反射具１、１００をクッション材２１が充填された外装生地１１からなる長尺体で形成し、長尺体の両端部を結ぶことによって全体を環状として人体に装着する形態であっても良い。
【０１１０】
上記実施の形態では、ＬＥＤまたは有機ＥＬを使用する旨説明したが、再帰性反射具１，１００の全体をＬＥＤまたは有機ＥＬに替えて発光させるものではなく、再帰性反射具１，１００で補うことができない光量をＬＥＤまたは有機ＥＬで補うことを意味する。ＬＥＤは、クッション材２１に埋まるように構成し、面発光させるのが望ましい。有機ＥＬも、面発光させるのが望ましい。ＬＥＤまたは有機ＥＬの面発光は、外装生地１１の一部を透明とし、そこから光を出力することができる。この場合には、クッション材２１も透光性材料であることが望ましい。
上記実施の形態の外装生地１１には、蓄光材料を使用して再帰反射の視認性を補うこともできる。例えば、ＬＥＤまたは有機ＥＬの面発光と同様に、外装生地１１の一部を透明とし、そこから蓄光材料の光を出力することができる。ここで蓄光材料とは、無色に近い乳白色の材料であるアルミン酸ストロンチウム(SrAl2O4系)を主剤とするものである。
この実施の形態も、蓄光材料は、再帰性反射具１，１００の光量を補うことを意味する。
【０１１１】
上記実施の形態の再帰性反射具１，１００は、筒状に閉じられた外周面に少なくとも再帰反射面１ａ，１００ａを形成し、かつ、屈曲自在な立体的環状を形成してなる外装生地１１と、前記筒状に閉じられた前記外装生地１１中に充填されたクッション材２１とを具備し、外装生地１１中に充填されたクッション材２１は、発泡樹脂材料または立体網状構造体または粒わたの合成樹脂材料または発泡ゴム材料の何れか１または２以上の材料からなり、外装生地１１の曲面をなす外周面が変形自在となっているものである。
【０１１２】
したがって、環状の全体に筒状に閉じられて外周面が再帰反射面１ａ，１００ａをなす外装生地内にクッション材２１を充填したことによって、再帰反射面１ａ，１００ａをなす外周面が曲面状をなしていることから、光源が何れにあっても高い再帰性反射が得られ、再帰性反射具１，１００を人体の一方の肩から他方の脇下・腰側に向かって斜めに掛けて装着した人の側面側でも、当該光源から光を受けたときでも、必ず高い再帰性反射が得られる。
【０１１３】
しかも、環状の全体外周面が曲面状をなしていることから、どの方向に光源が移動しても再帰反射が発生する。つまり、環状の全体が曲面状をなした再帰反射面１ａ，１００ａが存在するから、再帰性反射具１，１００を人体の一方の肩から他方の脇下、腰側に向かって斜めに掛けて装着した人の輪郭、体勢が視覚的に把握し易く、また、再帰反射面１ａ，１００ａの縦長の延びにより、遠近感も分かり易い。よって、人体の動きや移動に対する視認性も向上できる。そして、環状の全体が曲面状をなした再帰反射面１ａ，１００ａが環状の周方向に連続させれば、装着者の動きや移動によって再帰性反射具１，１００が環状の周方向に回動しても、光の入射方向を問わず常に高い再帰性反射が得られ、また、装着する際に方向性を特定しないから使い勝手もよい。
【０１１４】
更に、環状の全体が屈曲自在に形成されているから、人体の動きや移動による部分的な再帰反射面１ａ，１００ａの屈曲変化により反射光量を変化できる。環状の全体が曲面状をなした再帰反射面１ａ，１００ａが環状の周方向及び／または長さ方向に間歇的に設けられていれば、ＬＥＤまたは有機ＥＬ等によって、人体の動きや移動に対する視認性も向上させることができる。
よって、本発明の再帰性反射具１，１００によれば、人の動きや移動に対する視認性を向上させることができる。
【０１１５】
加えて、外装生地１１の中にクッション材２１が環状の全体に充填されて環状の全体に外周面の全体が曲面状をなし、しかも、環状の全体に屈曲自在に形成されていることで、装着者の肩に沿ってフィットさせてずれ難くでき、更に小物等の収納により重さが加えられた場合でも、環状の全体に充填されたクッション材により装着者の肩への当たりも良くて食い込みを防止して重みを分散させることができる。
【０１１６】
こうして、本発明の再帰性反射具１，１００によれば、環状の全体が筒状となっており、どの方向から入射した光でも再帰性反射が高く、しかも、環状の全体でどの方向に対しても再帰反射が生じ、視認性を向上させることができる。
また、筒状に閉じた外装生地１１中に充填したクッション材２１は、発泡樹脂材料または立体網状構造体または粒わた等の合成樹脂材料または発泡ゴム材料の何れか１つの材料からなり、発泡スチロール樹脂、発泡ウレタン樹脂または立体網状構造体または粒わたの合成樹脂材料または発泡ゴムの何れか１つからなり、外装生地１１の外周面が変形自在に余裕をもって充填されてなるものである。即ち、弾性によって任意の充填量とすることができ、かつ、均等に弾性を持たせることができる。
【０１１７】
更にまた、外装生地１１の外周面が変形自在に余裕をもって充填されとは、弾性によってスペースが生じるものであればよい。また、必要以上の充填は、立体的環状が円環となることからも確認される
そして、人体の動きや移動により外周面の曲面が部分的に変化し、反射光量を変化でき、人の動きや移動に対する視認性を向上させることができる。
【０１１８】
上記実施の形態の再帰性反射具１，１００の外装生地１１は、長手方向の端部に配設した連結具(１２１，１３１，１４１，１５１，１６１，１７１，１８１)によって立体的環状を形成するものであるから、長手方向に筒状に閉じられて外周面が少なくとも再帰反射面１ａ，１００ａをなす外装生地１１の中にクッション材２１を充填したことによって、再帰反射面１ａ，１００ａをなす外周面の全体が曲面状をなしていることから、どの方向から光が入射しても高い再帰性反射が得られる。即ち、再帰性反射具１，１００を人体の一方の肩から他方の脇下・腰側に向かって斜めに掛けて装着した人の側面側でも、光を受けたときの再帰性反射が高く、また、人体の正面側で人体の長さの垂線方向に対して高入射角で入射した光でも高い再帰性反射が得られる。
このときの長手方向の端部に配設した連結具(１２１，１３１，１４１，１５１，１６１，１７１，１８１)は、任意の機械的接続を得るものであるから、使用者は連結具を解除してもよいし、連結したままで、立体的環状に肩を通してもよいので、使用者の選択自由度が高くなる。
【０１１９】
上記実施の形態の再帰性反射具１，１００の筒状に閉じた外装生地１１中に充填したクッション材２１は、光を透過させる材料とし、環状に接続したＬＥＤまたは有機ＥＬを前記クッション材２１中に配設したものであるから、光を透過させるクッション材２１には、環状に接続したＬＥＤを配設することができるから、再帰反射のみでなく、ＬＥＤの発光またはＬＥＤの発光する紫外線を発光させることができる。
特に、本発明の再帰性反射具１，１００は、照明源として使用するものではなく、クッション材２１で散乱してもその存在が明確になればよいから、照明源として使用する環状に接続したＬＥＤまたは有機ＥＬの光出力を小さくすることができる。
【０１２０】
上記実施の形態の再帰性反射具１，１００の外装生地１１に収容自在とした媒体は、所有者の個人情報の一部を書き込んだものであるから、所有者の個人情報とは、氏名、住所、連絡先、病歴、緊急連絡先の１以上の情報を利用することにより、緊急に対応すべき事態が生じたとき、その内容に応じた対応が可能である。例えば、再帰反射を見ただけでも歩き方から徘徊老人の足であることは直ぐにわかるが、深夜に老人が散歩しているのは不自然であるから再帰性反射具の媒体に記載してある所有者の個人情報を確認することにより、徘徊老人が確認できる
【０１２１】
上記実施の形態の再帰性反射具１，１００の外装生地１１には、蓄光材料を使用して再帰反射の視認性を良くしたものであるから、所定の時間だけ蓄光材料によって光が出力されるので、日の入りから２〜３時間内であれば、蓄光材料によって歩行者の存在を確認できる。また、交差点を横切るときには、例え、信号停車時間があっても、後方または横方向からの光源で再帰反射または蓄光材料を光らせることができる。
上記実施の形態の再帰性反射具１，１００の再帰反射面１ａ，１００ａは、環状または長方形の線状に形成し、それを接続して、蓄光塗料面と交互に形成してもよい。図形化した面としてもよい。
【符号の説明】
【０１２２】
１，１００    再帰性反射具
１ａ，１００ａ    再帰反射面
１１    外装生地
２１    クッション材
１１１    接着布(連結具)
１２１    スナップボタン(連結具)
１３１    ボタンとループ(連結具)
１４１    孔と弾接凸部材(連結具)
１５１，１６１    バックル(連結具)
１７１    連結受部(連結具)
１８１    孔 (連結具)
１８２    金属環(連結具)                                                                            
【図１】
2018146918.tif 000003
【図２】
2018146918.tif 000004
【図３】
2018146918.tif 000005
【図４】
2018146918.tif 000006
【図５】
2018146918.tif 000007
【図６】
2018146918.tif 000008
【図７】
2018146918.tif 000009
【図８】
2018146918.tif 000010
【図９】
2018146918.tif 000011
【図１０】
2018146918.tif 000012
【図１１】
2018146918.tif 000013
【図１２】
2018146918.tif 000014
【図１３】
2018146918.tif 000015
【図１４】
2018146918.tif 000016
【図１５】
2018146918.tif 000017
【図１６】
2018146918.tif 000018
【図１７】
2018146918.tif 000019
【図１８】
2018146918.tif 000020
【図１９】
2018146918.tif 000021
【図２０】
2018146918.tif 000022
【図２１】
2018146918.tif 000023
【図２２】
2018146918.tif 000024